(57)【特許請求の範囲】
【請求項１】
所定竿管に設けられて釣糸を導入できる導入孔と、
該導入孔の後方に設けられたリール装着部に装着されるリールからの釣糸を前記導入孔に案内するガイドリングと、前記導入孔から出て来た糸通し具の先部を受けた場合にその先部を前記ガイドリングに挿通させるべく案内できる板状や樋状の受け部材とを具備するガイド部と
を有した中通し釣竿と糸通し具とのセットにおいて、
前記糸通し具が糸通し具本体の所定位置から先側である先部がへの字状や曲線等の所定形状に曲がって形成されており、
前記糸通し具の前記所定位置から先端までの直線長さが、前記所定竿管の前に直接に継ぎ合わされる竿管が糸通しを行なう状態に所定竿管に保持された状態において、該保持された竿管の後端位置から前記所定竿管の中心軸線方向に測った導入孔の後端までの距離以下の値であり、
前記ガイド部の内側領域であって、前記所定竿管の表面に最も近い位置の点をＧ１、最も前方位置にある点をＧ２、導入孔の内面側前端をＮ１、表面側後端をＮ２とすると、Ｎ１とＧ１とを結ぶ直線をＬ１、Ｎ２とＧ２とを結ぶ直線をＬ２とし、前記糸通し具の所定形状の先端と前記所定位置とを結ぶ直線が糸通し具本体の延伸方向とのなす屈曲角度が、前記直線Ｌ１と前記中心軸線とのなす角度と、直線Ｌ２と前記中心軸線とのなす角度との間の値であり、
前記中心軸線から半径方向に測った前記点Ｇ１と点Ｇ２までの各距離をＲ１，Ｒ２とすれば、糸通し具本体の延伸方向に対して垂直方向に測った糸通し具先端までの長さが距離Ｒ１とＲ２との間の値である
ことを特徴とする中通し釣竿と糸通し具とのセット。
【請求項２】
糸通し具先部が本体の所定位置において、自在にへの字状等の形状に折れ曲がる場合、最大に折れ曲った所定の形状を前記先部の所定形状とした請求項１記載の中通し釣竿と糸通し具とのセット。
【請求項３】
糸通し具先部が本体の所定位置において自在に折れ曲る場合、糸通し具本体を延伸した方向に対して角度θだけ傾斜した方向に重力が作用した場合に折れ曲る先部形状を前記先部の所定形状とした請求項１記載の中通し釣竿と糸通し具とのセット。
【発明の詳細な説明】
【０００１】
【発明の属する技術分野】
本発明は中通し釣竿と糸通し具とのセットに関する。
【０００２】
【従来の技術】
中通し釣竿は、釣糸を竿管途中から内部を挿通させる構造のため、その途中から先側竿管の外部にはガイドリングを設ける必要が無いため、釣糸が絡み難いという長所を有する。然しながら、釣りの前に、釣糸を竿管内部に挿通させる作業が必要であり、糸通し具を用いた作業方式に２通りの方法がある。１つは、糸通し具の後端部に釣糸を係止させて、この糸通し具の先部を、釣糸を竿管内部に挿通させ始める部位である釣糸導入部の導入孔から竿先に向かって挿入していく方法であり、他方は、ある程度短い収納状態にした継式釣竿を、竿先を斜め上方に向けて傾斜状に保持し、竿先から糸通し具の先部を挿入しつつ、釣竿の釣糸導入部を下側に向けてこの導入孔から外に出し、そこでその先部に釣糸を係止させ、それから竿先に残っている糸通し具の後部を引いて糸を通す方法である。後述の方法をトップイン方式ともいう。本願では、このトップイン方式に係る。
【０００３】
釣糸導入部では竿管に長孔等の孔を設け、通常ここにセラミックス等のガイドを設けており、このガイドの内周部を釣糸が通って竿管内部に導入される。然しながら、この釣糸導入孔の近く（通常は後ろ）には、竿管表面から離れた位置に設けられて、後方のリール装着部に装着されたリールから引き出した釣糸を前記導入孔に案内するための、セラミックス等のガイドリングを取り付けたガイド部が配設されている。従って、トップイン方式による場合は、まず傾斜状にした竿の先部を手で保持した状態で糸通し具を竿先から通して糸通し具の先部を導入孔から外に出し、その後で、保持している手を竿の釣糸導入部付近に移動させてから、外に出た糸通し具の先部を摘んで、再び上述した竿表面から離れた位置のガイドリングに挿通させ、これにリールから引き出した釣糸を係止させるという作業を行なっていた。
【０００４】
【発明が解決しようとする課題】
然しながら、竿先から糸通し具を挿通させることによってその先部が導入孔から外部に出ると共に、そのままの姿勢で糸通し具をもう少し押し込むだけで竿表面から離れたガイドリングにも挿通させることができれば、竿を保持した手を移動させなくてもよく、また、一度の挿通動作で糸通し具の挿通作業を完了でき、釣り準備が更に軽快になる。
依って本発明は、トップイン方式の糸通し作業を可及的容易に行なうことを目的とする。
【０００５】
【課題を解決するための手段】
上記目的に鑑みて本発明は請求項１では、所定竿管に設けられて釣糸を導入できる導入孔と、該導入孔の後方に設けられたリール装着部に装着されるリールからの釣糸を前記導入孔に案内するガイドリングと、前記導入孔から出て来た糸通し具の先部を受けた場合にその先部を前記ガイドリングに挿通させるべく案内できる板状や樋状の受け部材とを具備するガイド部とを有した中通し釣竿と糸通し具とのセットにおいて、前記糸通し具が糸通し具本体の所定位置から先側である先部がへの字状や曲線等の所定形状に曲がって形成されており、（１）前記糸通し具の前記所定位置から先端までの直線長さが、前記所定竿管の前に直接に継ぎ合わされる竿管が糸通しを行なう状態に所定竿管に保持された状態において、該保持された竿管の後端位置から前記所定竿管の中心軸線方向に測った導入孔の後端までの距離以下の値であり、（２）前記ガイド部の内側領域であって、前記所定竿管の表面に最も近い位置の点をＧ１、最も前方位置にある点をＧ２、導入孔の内面側前端をＮ１、表面側後端をＮ２とすると、Ｎ１とＧ１とを結ぶ直線をＬ１、Ｎ２とＧ２とを結ぶ直線をＬ２とし、前記糸通し具の所定形状の先端と前記所定位置とを結ぶ直線が糸通し具本体の延伸方向とのなす屈曲角度が、前記直線Ｌ１と前記中心軸線とのなす角度と、直線Ｌ２と前記中心軸線とのなす角度との間の値であり、（３）前記中心軸線から半径方向に測った前記点Ｇ１と点Ｇ２までの各距離をＲ１，Ｒ２とすれば、糸通し具本体の延伸方向に対して垂直方向に測った糸通し具先端までの長さが距離Ｒ１とＲ２との間の値であることを特徴とする中通し釣竿と糸通し具とのセットを提供する。
【０００６】
上記ガイド部の内側領域とは、ガイドリングのみの場合はその内周面であり、このガイドリングの前側に板状等の受け部材が装着されている場合には、ガイドリング内周面と、受け部材の、竿管表面に対面している側の面とを含む。
トップイン方式による作業中に、構成要件（１）と（３）によって糸通し具の先部が導入孔から外部に出られ、更に、構成要件（２）と（３）によってガイドリング内を挿通できる。従って、糸通し具との関連において、釣糸導入部分（導入孔と、ガイドリングを含むガイド部とを有する領域部分）の位置寸法関係を請求項１の構成要件を満たすように構成しておけば、糸通し作業が非常に容易になる。この糸通し具は、販売上は同じ梱包にての販売が典型的であるが、別売りとしても糸通し具と釣竿との関連を明記すればよい。これも本願のセットの一形態である。以下同様である。
【０００７】
請求項２において、糸通し具先部が本体の所定位置において、自在にへの字状等の形状に折れ曲がる場合、最大に折れ曲った所定の形状を請求項１にいう先部所定形状とした請求項１記載の中通し釣竿と糸通し具とのセットを提供する。
糸通し具の先部がある角度範囲（９０度未満）で自在に折れ曲るように形成されている場合、トップイン方式の場合、そこが最大の折れ曲り角度になるようにするには、釣竿の傾斜角度を調節すればよく（水平に近く寝かせれば必ず最大折れ曲り角度になる）、この状態で糸通し具の挿通作業を行なえば、請求項１の場合と同じ要件で同様の作用効果を奏する。即ち、この場合の糸通し具との関連において、釣糸導入部分を請求項１の要件となるように設計すれば糸通し作業が非常に容易になる。
【０００８】
請求項３において、糸通し具先部が本体の所定位置において自在に折れ曲る場合、糸通し具本体を延伸した方向に対して角度θだけ傾斜した方向に重力が作用した場合に折れ曲る先部形状を前記先部所定形状とした請求項１記載の中通し釣竿と糸通し具とのセットを提供する。
角度θだけ傾斜した方向に重力が作用することは、トップイン方式の場合、釣竿を水平方向から角度（π／２−θ）だけ起こした状態で糸通し具を挿通させることであり、この状態で挿通させた場合に折れ曲った先部形状を請求項１の糸通し具の先部所定形状とし、請求項１の場合と同じ要件を満たすように設計すれば同様の作用効果を奏する。
【０００９】
参考であるが、所定竿管に設けられて釣糸を導入できる導入孔と、該導入孔の後方に設けられたリール装着部に装着されるリールからの釣糸を前記導入孔に案内するガイドリングを具備するガイド部とを有した中通し釣竿において、前記所定竿管に直接に継合わされる前側竿管を糸通し状態に保持し、前記導入孔が下側になるように向けた釣竿の先部から押し込んだ糸通し具の先部が、その押し込みによってガイドリングにも挿通するように、糸通し具との関連において導入孔とガイド部との相対配設位置と夫々の大きさと形状とを設定したことを特徴とする中通し釣竿では、トップイン方式の糸通し作業を可及的容易に行なうことができる。
【００１０】
【発明の実施の形態】
以下、本発明を添付図面に示す形態例に基づき、更に詳細に説明する。図１は振出式の中通し釣竿を糸通しを行なうことのできる長さ状態に保持して、即ち、第１中竿１２を引き出して（ここが並継の場合は継ぎ合わせて）元竿１０の先端部に保持させ、それより前側の竿管を第１中竿内に収納した状態にして地面に対して傾斜させている。この傾斜状態の釣竿の先端トップガイド１４Ｔから糸通し具を挿通させる。この形態例の竿では釣糸導入部が元竿１０の先部に設けられているため、糸通しを行なう際には、第１中竿１２を引き出して継ぎ合わせているが、釣糸導入部が元竿１０の先部よりも後方位置に設けられている場合には、その前側であって近くに第１中竿の後端が位置するように第１中竿を保持して糸通しを行なう。
【００１１】
この保持構造としては、例えば、第１中竿の途中に膨出部を設けておき、ここを元竿１０の先端部の継合部に嵌合させる等である。第１中竿よりも前側の竿管は完全に収納していてもそうでなくてもよいが、元竿後端から穂先竿先端のトップガイド１４Ｔまでの長さが長すぎないように設定する。長すぎてはトップイン方式の糸通し作業を行ない難いからである。
【００１２】
元竿１０の先端部の継合部の後ろ近くには、竿管に長孔が設けられ、この長孔にセラミックス製のガイド部材が配設され、この中を釣糸が挿通して竿管内に導入される。この釣糸の挿通可能な孔部（通常、長孔状）を導入孔１０Ｄという。ここではガイド部材は竿管に設けた長孔の前端部と後端部とに配設された２つのＵ字状のガイド部材１０Ｇ，１０Ｇ’であるが、１つの環状になったガイド部材でもよい。
【００１３】
元竿１０の後方位置にはリール１８がリール装着装置１０Ｒに固定されており、ここから釣糸が引き出される。この釣糸を前記導入孔に案内するために、例えば図１に示す如き山形のフレーム１６が、元竿の円周方向における導入孔部の位置に固定されており、セラミックス製の環状のガイドリング１６Ｇが元竿表面から離れた高さ位置に設けられている。このガイドリングは通常は導入孔１０Ｄの後方位置であるが、導入孔の上方に位置することもある。更には、図１ではそうではないが、本発明では、後述の図４に示すように、ガイドリング１６Ｇの元竿表面から遠い部分に設けられ、導入孔から出て来た糸通し具の先端部を受け易くて、受けた糸通し具先部をガイドリング１６Ｇに挿通させるべく案内する板状や樋状の受け部材ＰＴを設ける。こうした導入孔近くの構造全体を釣糸導入部という。
【００１４】
また、リール装着部１０Ｒの前側には前側握り部ＦＧが設けてあり、元竿１０の後端部には後部握り部ＲＧが設けてある。この後部握り部の後端縁部の内、円周方向における前記導入孔１０Ｄの位置側がカットされて平面部Ｈ１を形成しており、ここを地面に当接させることによって釣竿を安定して傾斜状に設定することができ、また、導入孔１０Ｄ側を下側に位置させることも安定する。
【００１５】
糸通し具は図３に略示するように、細長い糸条の本体２０を有し、この図では通常時において位置Ｐ１からの先部２０Ｓがへの字状に折れ曲った形態が示されている。その先端部２６は釣糸を係止させる係止部である。本体２０と、先部２０Ｓの一部も適宜な剛性を有した可撓性部材で形成されており、夫々の部分は直線状にも他形状に変形も可能であるが、この糸通し具を竿管内に挿通させる場合、折れ曲り部前後は管壁に押されて一時的に概ね直線状になって挿通できる。
【００１６】
本体の後部には、球体等の抜け止め部材２２が設けられており、トップガイド１４Ｔにおいて引っ掛かり、竿管内部に挿通不可能である。部材２２は本体２０に対する位置を移動できて保持可能に構成すると好ましい。また、本体２０の所定位置には目印２４を設け、作業者が竿先近くに目を位置させて竿先からトップイン方式で糸通し作業する際に、目印がトップガイド１４Ｔに位置することにより糸通し具の先部２０Ｓ（又は係止部２６）が導入孔１０Ｄの位置に到達したことを認識し易くしている。更に、この例の場合は、本体２０の円周における、糸通し具の先部２０Ｓがへの字状に折れ曲っている曲り方向側に目印２４が設けられており、これによって、作業中に糸通し具の先部２０Ｓがどの方向を向いているかが概ね判る。従って、導入孔１０Ｄの位置に到達した際に、導入孔を下向けて先部２０Ｓを導入孔から外部に出し易くなる。この目印２４はトップガイド１４Ｔを通過できる。糸条本体２０に塗料を塗って目印としてもよく、また、小さな部材を固着させてもよい。
【００１７】
図４は、図３に示した形態の糸通し具を糸通し可能状態の釣竿の先から挿通させている場合の模式図であり、１４Ｇは穂先竿後端のガイドリングであり、１２Ｇは第１中竿１２後端のガイドリングである。現実には若干のずれが存在する場合があるが、元竿１０の中心軸線ＣＬ上に糸通し具本体２０が位置して挿通している図である。先部２０Ｓは、折れ曲り点Ｐ１が第１中竿後端１２Ｇから出るまでは、本体２０の延伸方向２０’、即ち、元竿中心軸線ＣＬ方向に指向しており、この先端Ｐ２が導入孔１０Ｄから外部に出られるためには、先部２０Ｓの長さＢが、第１中竿後端位置から元竿の中心軸線方向に測った導入孔の後端までの距離Ｂ１以下であることが必要である。もし、更に先部２０Ｓ内の先方部が折れ曲り自在である場合は、その自在部を除いた端部がここでの先端Ｐ２に代る。本願の他形態の糸通し具においても同様である。
【００１８】
少なくともガイドリング１６Ｇを具備するガイド部は、図４の場合は受け部材ＰＴを有しており、ガイドリングと受け部材とを合わせたガイド部である。先部が導入孔から出て、更にガイドリングに挿通するためには、ガイド部の内側領域であって、元竿表面に最も近い点をＧ１、最も前方位置にある点をＧ２とし、中心軸線ＣＬから半径方向に測った夫々までの距離をＲ１，Ｒ２とすれば、糸通し具本体２０の延伸方向２０’に対して垂直方向に測った糸通し具先端Ｐ２までの長さＲがＲ１以上であって、Ｒ２以下であることが有用である。
【００１９】
更には、導入孔１０Ｄの竿の中心側前端をＮ１、表面側後端をＮ２とし、Ｎ１とＧ１とを結ぶ直線をＬ１、Ｎ２とＧ２とを結ぶ直線をＬ２とし、糸通し具の所定形状の先端Ｐ２と位置Ｐ１とを結ぶ直線、即ち、この例では直線状先部２０Ｓであり、これが糸通し具本体２０の延伸方向２０’とのなす屈曲角度θが、前記直線Ｌ１と前記中心軸線ＣＬとのなす角度θ１と、直線Ｌ２と中心軸線ＣＬとのなす角度θ２との間の値であることが有用である。
【００２０】
上記形態の糸通し具の場合、釣竿を、上記の如く糸通し具と関係付けた釣糸導入部を有するよう形成しておき、トップインで糸通し具の先部２０Ｓ側が釣竿の導入孔近くにおいて、該孔側になる向きに押し込めば、先部が導入孔から容易に出るのみならず、ガイドリング１６Ｇにも挿通し易い。図４の受け部材ＰＴが無くてガイド部がガイドリング１６Ｇだけで形成されている場合は、本発明外である。
【００２１】
図５は、通常時において、糸通し具の位置Ｐ１から先部が、直線状ではなくて曲線状になって、本体２０の延伸方向２０’から離れるように曲っている糸通し具を示す。しかしこの場合は、位置Ｐ１と先端Ｐ２とを結ぶ直線２０Ｓ’を図３の場合の２０Ｓに置き換えた場合の先述と同じ要件によって糸通し作業が可及的に容易になる。
【００２２】
図６は、先部２０Ｓが角度θ（９０度未満の値）まで自在に折れ曲る糸通し具の構造を示している。糸条体からなる本体２０と係止部２６との間を関節構造で接続し、その関節部位（折れ曲り部位）Ｐ１の前後をパイプ部材を被せることにより、各パイプの端面の干渉によって所定角度θまでしか折れ曲れないように構成している。ａが直線状の図であり、ｂがθまで折れ曲った図である。こうした糸通し具を使用する場合は、釣竿を垂直に立てた状態から前記角度θ以上の適宜角度だけ傾斜させた状態で糸通し作業を行なえば、先部２０Ｓが導入孔から出ようとする際には、該先部が角度θ折れ曲った状態となる。従って、この場合も、先部２０Ｓがｂの状態に折り曲げられた糸通し具と考えた場合の先述と同じ要件によって糸通し作業が可及的に容易になる。
【００２３】
図７は、本体２０の先方の所定位置Ｐ１がピンジョイントのようになっており、ここにおいてその先部２０Ｓが自在に折れ曲ることのできる糸通し具を示しており、釣竿を水平方向に対して所定角度（π／２−θ）傾斜させて糸通し作業を行なうと、重力によって糸通し具の先部２０Ｓは本体２０の延伸方向に対して角度θだけ傾斜する。このように釣竿を所定角度傾斜させて糸通しを行なった際に、可及的に作業が容易になるためには、先部２０Ｓが本体２０の延伸方向に対して角度θだけ折れ曲った状態の糸通し具を図３の糸通し具と考えた場合、図４を参照して説明した先述と同じ要件を満たすように釣糸導入部を構成する。
【００２４】
釣竿を、例えば水平方向に対して３０度傾斜させれば、角度θは６０度となる。例えば、折れ曲り角度θが６０度の図３の糸通し具として、図４を参照しつつ説明した要件を満たすように釣糸導入部を設計すれば、釣竿を水平から３０度（π／２−θ）傾斜させて糸通し作業をすれば糸通し作業が可及的に容易になる。この場合、既述の平面部Ｈ１を、元竿等の竿管の中心軸線に対して３０度（π／２−θ）になるように形成しておけば、釣竿を容易に所定の３０度（π／２−θ）に傾斜させることができる。
【００２５】
トップイン方式で糸通し具を通す際に、糸通し具先端部が釣糸導入部の導入孔１０Ｄから外部に容易に出るためには、図２に示す導入孔の長さＷ１と幅Ｗ２は、夫々３０ｍｍ程度以上、５ｍｍ程度以上存在することが好ましい。
更には、図８に示すように、リール装着装置１０Ｒに装着されたリール１８が両軸受型リールのようにレベルワインド機構を有し、スプールに巻回された釣糸がレベルワインド機構の孔部１８Ｗから引き出される場合には、糸通し具を長く設定すると好都合である。
【００２６】
即ち、糸通し具の先端と抜け止め部材２２との間の長さは、図１に示したガイドリング１６Ｇを挿通するまででは、竿先から導入孔１０Ｄ中間位置までの距離Ｗ０に１０ｃｍ程度以上加えた長さがあれば足りるが、この長さに、導入孔１０Ｄ中間位置とリール装着装置１０Ｒ中間位置との距離Ｗ３程度を加えた長さがあれば、糸通し具先端部を前記孔部１８Ｗに挿通させることができる。この図８の状態において、釣糸を糸通し具の係止部２６に係止させれば、後は、糸通し具を竿先から引き出すだけで釣糸が挿通できる。釣糸自体をレベルワインド機構の孔部１８Ｗに直接に挿通させるよりも、より剛性のある糸通し具を挿通させる方が素早く容易に挿通できるからである。糸通し具本体２０が上記のような所定長さ以上を有し、抜け止め部材２２が本体２０上を移動可能であって、かつ、移動位置に保持できる構造を有すると、容易に図８のように挿通させられる。
【００２７】
図９は、釣竿を竿尻から見た図であり、既述の平面部Ｈ１を示す。この平面部は必ずしも平坦面でなくてもよく、凹形状に形成されていてもよい。竿を傾斜させた状態で安定させるには、後部握り部ＲＧを傾斜状にカットした幅Ｗ４（竿中心と導入孔中心を結ぶ方向の幅）が後部握り部ＲＧの直径の１／３程度以上あることが好ましい。
【００２８】
参考図である図１０は、ここまでに説明したガイドリング１６Ｇの代りに、Ｕ字状のガイド１６Ｇ’を設けており、糸通し具の先部が導入孔１０Ｄから外に出さえすれば、それに釣糸を係止させて糸通しができる。糸通し具を竿先に引いて糸通しした後に、又はその前にでも、釣糸をＵ字状ガイドに通すことができる。従って、糸通し具を竿先から通して導入孔を通過させた後、更にガイド１６Ｇ’に挿通させる必要が無く、その分糸通し作業が容易になる。部材１６’はＵ字状ガイドの保持部材であると共に、導入孔１０Ｄ（の一部）を区画形成しているセラミックス等のガイド部材を保護し、導入孔の両側に設けられた側壁でもある。導入孔１０Ｄを上方から覆うように、部材１６’に対してカバー部材を開閉可能に装着してもよい。カバー部材の存在で、ゴミ等の侵入が防止できる。
【００２９】
以上では、釣糸導入部を元竿１０に設けているが、第１中竿等に設けてもよい。その場合、第１中竿等が所定竿管である。
また、糸条本体の先端部に所定の重りをつけ、その重りによる撓み変形を設定して、導入孔とガイドリングを共に挿通させることもできる。更には、糸条体の先部を導入孔の後端部に押し当てて先部を適切に変形させ、その変形した先部を導入孔から出すと共に、ガイドリングに挿通させるように設計することも可能である。
【００３０】
【発明の効果】
以上の説明から明らかなように本発明によれば、トップイン方式の糸通し作業が可及的容易に行なえる。
【図面の簡単な説明】
【図１】  図１は糸通し状態の側面図である。
【図２】  図２は釣糸導入部付近の平面図である。
【図３】  図３は糸通し具の全体略示図である。
【図４】  図４は本発明の説明図である。
【図５】  図５は他の形態の糸通し具先部の略示図である。
【図６】  図６は他の形態の糸通し具先部の図である。
【図７】  図７は他の形態の糸通し具先部の略示図である。
【図８】  図８は他の糸通し状態の側面図である。
【図９】  図９は釣竿を後端から見た図である。
【図１０】  図１０は参考形態の釣糸導入部を示す斜視図である。
【符号の説明】
１０                  元竿（所定竿管）
１０Ｄ                導入孔
１６Ｇ                ガイドリング
２０                  糸通し具本体
２０Ｓ                糸通し具の先部
２２                  抜け止め部材
２６                  係止部
Ｐ１                  所定位置（折れ曲り点）
【図１】
0004066402.tif 000002
【図２】
0004066402.tif 000003
【図３】
0004066402.tif 000004
【図４】
0004066402.tif 000005
【図５】
0004066402.tif 000006
【図６】
0004066402.tif 000007
【図７】
0004066402.tif 000008
【図８】
0004066402.tif 000009
【図９】
0004066402.tif 000010
【図１０】
0004066402.tif 000011